(57)【特許請求の範囲】
【請求項１】
協調マルチポイント（ＣｏＭＰ）のフィードバックモードに設定された端末装置に用いられるＣＱＩのフィードバック方法であって、
ダウンリンク基準信号に基づいて、非ＣｏＭＰ伝送に基づくチャネル品質情報（ＣＱＩ）及びＣｏＭＰ伝送に基づくＣＱＩを計算する第１の計算ステップと、
非ＣｏＭＰ伝送に基づくＣＱＩ及びＣｏＭＰ伝送に基づくＣＱＩに基づいて、ＣｏＭＰ伝送に基づくＣＱＩオフセットを計算する第２の計算ステップと、
前記ＣｏＭＰ伝送に基づくＣＱＩオフセット、及び予め確立された差分ＣＱＩとオフセットとのマッピング関係に基づいて、ＣｏＭＰ伝送に基づく差分ＣＱＩを決定する決定ステップであって、前記予め確立された差分ＣＱＩとオフセットとのマッピング関係において、差分ＣＱＩの小さい順に差分ＣＱＩに対応する複数のオフセット基準値は、逓増する複数の整数である、決定ステップと、
前記非ＣｏＭＰ伝送に基づくＣＱＩ及び前記ＣｏＭＰ伝送に基づく差分ＣＱＩを基地局にフィードバックするフィードバックステップと、を含む、チャネル品質情報のフィードバック方法。
【請求項２】
前記決定ステップにおいて、
前記ＣｏＭＰ伝送に基づくＣＱＩオフセットに対応する差分ＣＱＩを決定するように、前記ＣｏＭＰ伝送に基づくＣＱＩオフセットと、前記予め確立された差分ＣＱＩとオフセットとのマッピング関係におけるオフセット基準値とを比較する、請求項１に記載のチャネル品質情報のフィードバック方法。
【請求項３】
前記予め確立された差分ＣＱＩとオフセットとのマッピング関係において、前記差分ＣＱＩを示すビット数は、３ビット又は２ビットである、請求項１に記載のチャネル品質情報のフィードバック方法。
【請求項４】
異なるＣｏＭＰ送信モードに応じて、前記予め確立された差分ＣＱＩとオフセットとのマッピング関係における複数のオフセット基準値は異なる、或いは前記予め確立された差分ＣＱＩとオフセットとのマッピング関係における前記差分ＣＱＩを示すビット数は異なる、請求項１に記載のチャネル品質情報のフィードバック方法。
【請求項５】
前記基地局がマルチポイント結合処理（ＪＰ）のＣｏＭＰ送信モードを用いる場合の前記複数のオフセット基準値の最大値は、前記基地局がマルチポイント協調スケジューリング又はビームフォーミング（ＣＳ／ＣＢ）のＣｏＭＰ送信モードの場合の前記複数のオフセット基準値の最大値よりも大きい、請求項１に記載のチャネル品質情報のフィードバック方法。
【請求項６】
前記基地局がマルチポイントＪＰのＣｏＭＰ送信モードを用いる場合、前記複数のオフセット基準値の最小値は、０、１又は２であり、
前記基地局がマルチポイントＣＳ／ＣＢのＣｏＭＰ送信モードを用いる場合、前記複数のオフセット基準値の最小値は、−１又は０である、請求項１に記載のチャネル品質情報のフィードバック方法。
【請求項７】
端末装置からフィードバックされたランクが１である場合、前記第２の計算ステップにおいて、ＣｏＭＰ伝送に基づくＣＱＩオフセットは、ＣｏＭＰ伝送に基づくＣＱＩインデックスと非ＣｏＭＰ伝送に基づくＣＱＩインデックスとの差である、請求項１に記載のチャネル品質情報のフィードバック方法。
【請求項８】
端末装置からフィードバックされたランクが２以上である場合、
前記第１の計算ステップにおいて、２つの伝送ブロックの非ＣｏＭＰ伝送に基づくＣＱＩ及びＣｏＭＰ伝送に基づくＣＱＩを計算し、
前記第２の計算ステップにおいて、２つの伝送ブロックのＣｏＭＰ伝送に基づくＣＱＩオフセットを計算し、各伝送ブロックのＣｏＭＰ伝送に基づくＣＱＩオフセットは、前記伝送ブロックのＣｏＭＰ伝送に基づくＣＱＩインデックスと前記伝送ブロックの非ＣｏＭＰ伝送に基づくＣＱＩインデックスとの差であり、
前記フィードバックステップにおいて、前記端末装置が２つの伝送ブロックの非ＣｏＭＰ伝送に基づくＣＱＩ及びＣｏＭＰ伝送に基づく差分ＣＱＩをフィードバックする、請求項１に記載のチャネル品質情報のフィードバック方法。
【請求項９】
端末装置からフィードバックされたランクが２以上である場合、
前記第１の計算ステップにおいて、２つの伝送ブロックの非ＣｏＭＰ伝送に基づくＣＱＩ及びＣｏＭＰ伝送に基づくＣＱＩを計算し、
前記第２の計算ステップにおいて、２つの伝送ブロックのＣｏＭＰ伝送に基づくＣＱＩオフセットを計算し、１番目の伝送ブロックのＣｏＭＰ伝送に基づくＣＱＩオフセットは、１番目の伝送ブロックのＣｏＭＰ伝送に基づくＣＱＩインデックスと１番目の伝送ブロックの非ＣｏＭＰ伝送に基づくＣＱＩインデックスとの差であり、２番目の伝送ブロックのＣｏＭＰ伝送に基づくＣＱＩオフセットは、１番目の伝送ブロックのＣｏＭＰ伝送に基づくＣＱＩインデックスと２番目の伝送ブロックのＣｏＭＰ伝送に基づくＣＱＩインデックスとの差であり、
前記フィードバックステップにおいて、前記端末装置が、ＣｏＭＰ伝送に基づく２つの伝送ブロックの差分ＣＱＩ及び非ＣｏＭＰ伝送に基づく２つの伝送ブロックのＣＱＩをフィードバックする、請求項１に記載のチャネル品質情報のフィードバック方法。
【請求項１０】
ＣｏＭＰのフィードバックモードに設定された端末装置であって、
ダウンリンク基準信号に基づいて、非ＣｏＭＰ伝送に基づくＣＱＩ及びＣｏＭＰ伝送に基づくＣＱＩを計算する第１の計算手段と、
前記第１の計算手段により計算された非ＣｏＭＰ伝送に基づくＣＱＩ及びＣｏＭＰ伝送に基づくＣＱＩに基づいて、ＣｏＭＰ伝送に基づくＣＱＩオフセットを計算する第２の計算手段と、
前記第２の計算手段により計算されたＣｏＭＰ伝送に基づくＣＱＩオフセット、及び予め確立された差分ＣＱＩとオフセットとのマッピング関係に基づいて、ＣｏＭＰ伝送に基づく差分ＣＱＩを決定する決定手段であって、前記予め確立された差分ＣＱＩとオフセットとのマッピング関係において、差分ＣＱＩの小さい順に差分ＣＱＩに対応する複数のオフセット基準値は、逓増する複数の整数である、決定手段と、
前記第１の計算手段により計算された非ＣｏＭＰ伝送に基づくＣＱＩ及び前記決定手段により決定されたＣｏＭＰ伝送に基づく差分ＣＱＩを基地局にフィードバックするフィードバック手段と、を含む、端末装置。
【請求項１１】
前記決定手段は、
前記ＣｏＭＰ伝送に基づくＣＱＩオフセットに対応する差分ＣＱＩを決定するように、前記第２の計算手段により計算されたＣｏＭＰ伝送に基づくＣＱＩオフセットと、前記予め確立された差分ＣＱＩとオフセットとのマッピング関係におけるオフセット基準値とを比較する比較モジュール、を含む、請求項１０に記載の端末装置。
【請求項１２】
前記端末装置の予め確立された差分ＣＱＩとオフセットとのマッピング関係において、前記差分ＣＱＩを示すビット数は、３ビット又は２ビットである、請求項１０に記載の端末装置。
【請求項１３】
前記端末装置は、異なるＣｏＭＰ送信モードに応じて、複数のオフセット基準値の異なる予め確立された差分ＣＱＩとオフセットとのマッピング関係を用いる、或いはビット数の異なる予め確立された差分ＣＱＩとオフセットとのマッピング関係を用いる、請求項１０に記載の端末装置。
【請求項１４】
前記基地局がマルチポイント結合処理（ＪＰ）のＣｏＭＰ送信モードを用いる場合の、前記端末装置の予め確立された差分ＣＱＩとオフセットとのマッピング関係における、複数のオフセット基準値の最大値は、前記基地局がマルチポイント協調スケジューリング又はビームフォーミング（ＣＳ／ＣＢ）のＣｏＭＰ送信モードの場合の、前記端末装置の予め確立された差分ＣＱＩとオフセットとのマッピング関係における、複数のオフセット基準値の最大値よりも大きい、請求項１０に記載の端末装置。
【請求項１５】
前記基地局がマルチポイントＪＰのＣｏＭＰ送信モードを用いる場合、前記端末装置の予め確立された差分ＣＱＩとオフセットとのマッピング関係において、複数のオフセット基準値の最小値は、０、１又は２であり、
前記基地局がマルチポイントＣＳ／ＣＢのＣｏＭＰ送信モードを用いる場合、前記端末装置の予め確立された差分ＣＱＩとオフセットとのマッピング関係において、複数のオフセット基準値の最小値は、−１又は０である、請求項１０に記載の端末装置。
【請求項１６】
端末装置からフィードバックされたランクが１である場合、前記第２の計算手段により計算されたＣｏＭＰ伝送に基づくＣＱＩオフセットは、ＣｏＭＰ伝送に基づくＣＱＩインデックスと非ＣｏＭＰ伝送に基づくＣＱＩインデックスとの差である、請求項１０に記載の端末装置。
【請求項１７】
端末装置からフィードバックされたランクが２以上である場合、
前記第１の計算手段は、２つの伝送ブロックの非ＣｏＭＰ伝送に基づくＣＱＩ及びＣｏＭＰ伝送に基づくＣＱＩを計算し、
前記第２の計算手段は、２つの伝送ブロックのＣｏＭＰ伝送に基づくＣＱＩオフセットを計算し、各伝送ブロックのＣｏＭＰ伝送に基づくＣＱＩオフセットは、前記伝送ブロックのＣｏＭＰ伝送に基づくＣＱＩインデックスと前記伝送ブロックの非ＣｏＭＰ伝送に基づくＣＱＩインデックスとの差であり、
前記フィードバック手段は、２つの伝送ブロックの非ＣｏＭＰ伝送に基づくＣＱＩ及びＣｏＭＰ伝送に基づく差分ＣＱＩをフィードバックする、請求項１０に記載の端末装置。
【請求項１８】
端末装置からフィードバックされたランクが２以上である場合、
前記第１の計算手段は、２つの伝送ブロックの非ＣｏＭＰ伝送に基づくＣＱＩ及びＣｏＭＰ伝送に基づくＣＱＩを計算し、
前記第２の計算手段は、２つの伝送ブロックのＣｏＭＰ伝送に基づくＣＱＩオフセットを計算し、１番目の伝送ブロックのＣｏＭＰ伝送に基づくＣＱＩオフセットは、１番目の伝送ブロックのＣｏＭＰ伝送に基づくＣＱＩインデックスと１番目の伝送ブロックの非ＣｏＭＰ伝送に基づくＣＱＩインデックスとの差であり、２番目の伝送ブロックのＣｏＭＰ伝送に基づくＣＱＩオフセットは、１番目の伝送ブロックのＣｏＭＰ伝送に基づくＣＱＩインデックスと２番目の伝送ブロックのＣｏＭＰ伝送に基づくＣＱＩインデックスとの差であり、
前記フィードバック手段は、ＣｏＭＰ伝送に基づく２つの伝送ブロックの差分ＣＱＩ及び非ＣｏＭＰ伝送に基づく２つの伝送ブロックのＣＱＩをフィードバックする、請求項１０に記載の端末装置。
【請求項１９】
端末装置においてプログラムを実行する際に、コンピュータに、請求項１乃至９のいずれかに記載のチャネル品質情報のフィードバック方法を前記端末装置において実行させるコンピュータ読み取り可能なプログラム。
【請求項２０】
コンピュータに、請求項１乃至９のいずれかに記載のチャネル品質情報のフィードバック方法を端末装置において実行させるためのコンピュータ読み取り可能なプログラムを記憶する記憶媒体。
【発明の詳細な説明】
【技術分野】
【０００１】
本発明は、無線通信システムにおける伝送技術に関し、具体的にはマッピング関係の確立方法、チャネル品質情報のフィードバック方法、及び装置に関する。
【背景技術】
【０００２】
強化ロングタームエボリューション（LTE-Advanced：Long  Term  Evolution  -  Advanced）システムでは、セルのエッジのユーザ機器のスループットを向上させるため、協調マルチポイント（CoMP：Coordinated  Multiple  Point）送信が広く注目されている。図１（ａ）に示すように、同一のセルの異なる送信ポイントが協調して送信してもよいし、図１（ｂ）に示すように、異なるセルの異なる送信ポイントが協調して送信してもよい。
【０００３】
最適な協調伝送ポイントを選択するため、基地局は、各送信ポイントのユーザへのダウンリンクチャネル情報を取得して、特定の最適化ルールに従って１つ又は複数の最適な送信ポイントを選出する必要がある。通常、該ダウンリンクチャネル情報は、チャネル品質情報（CQI：Channel  Quality  Information）、プリコーディングマトリックスインデックス（PMI：Precoding  Matrix  Index）、及びランク（Rank）を含む。下位互換性及びより柔軟なスケジューリングを確保するため、基地局は従来のセルラーネットワークの単一ポイント送信へフォールバックする能力を有する必要がある。このため、ユーザがダウンリンクチャネル情報をフィードバックする際に、協調マルチポイント送信におけるダウンリンクチャネル情報だけではなく、従来の単一ポイント送信時のダウンリンクチャネル情報を報告する必要もある。
【０００４】
ＣｏＭＰ技術は、マルチポイント結合処理（JP：Joint  Processing）と、マルチポイント協調スケジューリング／ビームフォーミング（CS/CB：Coordinated  Scheduling/Beamforming）の２種類に分ける。異なるＣｏＭＰ技術によって、ユーザのフィードバック情報は異なるが、従来の単一ポイント（NoN-CoMP、非CoMP）の通信におけるＣＱＩ、及びマルチポイント協調（CoMP）送信におけるＣＱＩをフィードバックする必要がある。
【０００５】
ここで、ＪＰ送信について、受信信号は式（１）で表される。
【数１】
0005850153.tif 000002
【０００６】
そのうち、
【数２】
0005850153.tif 000003
は、ＪＰ送信において協調送信点ｂが用いるプリコーディングマトリックスであり、
【数３】
0005850153.tif 000004
は、協調送信点ｂからユーザ機器へのチャネルであり、
【数４】
0005850153.tif 000005
は、送信データであり、
【数５】
0005850153.tif 000006
は、ノイズである。ユーザ機器は、各送信点のプリーコーディングマトリックス
【数６】
0005850153.tif 000007
をフィードバックし、報告に基づくプリーコーディングマトリックス、及び式（１）に対応する量子化された信号対雑音比、即ちＣＱＩをフィードバックする。また、ユーザ機器は、単一ポイント送信のみのＣＱＩ、即ち式（２）で表される量子化された信号対雑音比をフィードバックする必要もある。
【数７】
0005850153.tif 000008
【０００７】
ＬＴＥ／ＬＴＥ−Ａｄｖａｎｃｅｄの標準定義によれば、ユーザ機器により従来の単一ポイント送信で非周期的にフィードバックされたＣＱＩは、表１に示すように、１番目の伝送ブロック（TB：Transport  Block）及び／又は２番目のＴＢが、共に４ビットで表示され、ユーザ機器により従来の単一ポイント送信で周期的にフィードバックされたＣＱＩは、表１に示すように、１番目のＴＢが４ビットで表示され、表２に示すように、２番目のＴＢが３ビットで表示され、ここで、２番目のＴＢと１番目のＴＢとの差分ＣＱＩ、即ち２番目のＴＢのオフセット＝１番目のＴＢのＣＱＩインデックス−２番目のＴＢのＣＱＩインデックス。ここで、表２のオフセットの欄の数値０、１、２、３、−４、−３、−２及び−１は、予め設定された、算出されたオフセットと比較するためのオフセットの基準値であり、算出されたオフセットに基づいて、表２を照合し、表２のオフセットの基準値と比較することで、対応する差分ＣＱＩの値を取得できる。例えば、表２に示すように、算出されたオフセットが４の場合、対応する差分ＣＱＩは３となり、算出されたオフセットが２の場合、対応する差分ＣＱＩは２となり、算出されたオフセットが−５の場合、対応する差分ＣＱＩは４となり、これによって類推すればよい。
【表１】
0005850153.tif 000009
【表２】
0005850153.tif 000010
【０００８】
しかし、ＣｏＭＰ伝送において、単一ポイント送信のＣＱＩのみならず、ＣｏＭＰ伝送のＣＱＩをフィードバックする必要があるため、フィードバックのオーバーヘッドが増加し、物理アップリンク制御チャネル（PUCCH：Physical  uplink  control  channel）又は物理アップリンク共有チャネル（PUSCH：Physical  uplink  share  channel）の効率が低下してしまう。ＰＵＣＣＨ／ＰＵＳＣＨを効率的に利用してユーザ機器のフィードバック情報を送信するため、協調マルチポイント伝送の特性を考慮して、ＣｏＭＰ伝送でのＣＱＩフィードバックを設計することは課題となる。
【０００９】
なお、従来技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【００１０】
本発明の実施例は、ＣｏＭＰ伝送によりユーザ機器のオーバーヘッドを向上すると共に、異なるＣｏＭＰ伝送技術による異なる性能の改善に対して、合理的なＣＱＩフィードバックを設計することで、ＣＱＩフィードバックのオーバーヘッドを低減できる差分ＣＱＩとオフセットとのマッピング関係の確立方法、協調マルチポイントシステムに用いられるチャネル品質情報のフィードバック方法、及び装置を提供することを目的とする。
【課題を解決するための手段】
【００１１】
本発明の実施例の一の態様によれば、差分ＣＱＩとオフセットとのマッピング関係の確立方法であって、端末装置が、チャネル品質情報（ＣＱＩ）の各ビット値とオフセット基準値とのマッピング関係に基づいて差分ＣＱＩのフィードバックを行うように、協調マルチポイント（ＣｏＭＰ）送信モードにより差分ＣＱＩを示すビット数及び前記マッピング関係を決定するステップ、を含み、前記マッピング関係において、前記ビット値の小さい順に前記ビット値に対応する複数のオフセット基準値は、逓増する複数の整数である、マッピング関係の確立方法を提供する。
【００１２】
本発明の実施例の他の態様によれば、差分ＣＱＩの各ビット値とオフセット基準値とのマッピング関係に基づいて差分ＣＱＩのフィードバックを行うように、ＣｏＭＰ送信モードにより差分ＣＱＩを示すビット数及び前記マッピング関係を決定する確立手段、を含み、前記ビット値の小さい順に前記ビット値に対応する複数のオフセット基準値は、逓増する複数の整数である、端末装置を提供する。
【００１３】
本発明の実施例の他の態様によれば、協調マルチポイント（ＣｏＭＰ）のフィードバックモードに設定された端末装置に用いられるＣＱＩのフィードバック方法であって、ダウンリンク基準信号に基づいて、非ＣｏＭＰ伝送に基づくチャネル品質情報（ＣＱＩ）及びＣｏＭＰ伝送に基づくＣＱＩを計算する第１の計算ステップと、非ＣｏＭＰ伝送に基づくＣＱＩ及びＣｏＭＰ伝送に基づくＣＱＩに基づいて、ＣｏＭＰ伝送に基づくＣＱＩオフセットを計算する第２の計算ステップと、前記ＣｏＭＰ伝送に基づくＣＱＩオフセット、及び予め確立された差分ＣＱＩとオフセットとのマッピング関係に基づいて、ＣｏＭＰ伝送に基づく差分ＣＱＩを決定する決定ステップであって、前記予め確立された差分ＣＱＩとオフセットとのマッピング関係において、差分ＣＱＩの小さい順に差分ＣＱＩに対応する複数のオフセット基準値は、逓増する複数の整数である、決定ステップと、前記非ＣｏＭＰ伝送に基づくＣＱＩ及び前記ＣｏＭＰ伝送に基づく差分ＣＱＩを基地局にフィードバックするフィードバックステップと、を含む、チャネル品質情報のフィードバック方法を提供する。
【００１４】
本発明の実施例の他の態様によれば、ＣｏＭＰのフィードバックモードに設定された端末装置であって、ダウンリンク基準信号に基づいて、非ＣｏＭＰ伝送に基づくＣＱＩ及びＣｏＭＰ伝送に基づくＣＱＩを計算する第１の計算手段と、前記第１の計算手段により計算された非ＣｏＭＰ伝送に基づくＣＱＩ及びＣｏＭＰ伝送に基づくＣＱＩに基づいて、ＣｏＭＰ伝送に基づくＣＱＩオフセットを計算する第２の計算手段と、前記第２の計算手段により計算されたＣｏＭＰ伝送に基づくＣＱＩオフセット、及び予め確立された差分ＣＱＩとオフセットとのマッピング関係に基づいて、ＣｏＭＰ伝送に基づく差分ＣＱＩを決定する決定手段であって、前記予め確立された差分ＣＱＩとオフセットとのマッピング関係において、差分ＣＱＩの小さい順に差分ＣＱＩに対応する複数のオフセット基準値は、逓増する複数の整数である、決定手段と、前記第１の計算手段により計算された非ＣｏＭＰ伝送に基づくＣＱＩ及び前記決定手段により決定されたＣｏＭＰ伝送に基づく差分ＣＱＩを基地局にフィードバックするフィードバック手段と、を含む、端末装置を提供する。
【００１５】
本発明の実施例の他の態様によれば、端末装置においてプログラムを実行する際に、コンピュータに、上記の差分ＣＱＩとオフセットとのマッピング関係の確立方法を前記端末装置において実行させるコンピュータ読み取り可能なプログラムを提供する。
【００１６】
本発明の実施例の他の態様によれば、コンピュータに、上記の差分ＣＱＩとオフセットとのマッピング関係の確立方法を端末装置において実行させるためのコンピュータ読み取り可能なプログラムを記憶する記憶媒体を提供する。
【００１７】
本発明の実施例の他の態様によれば、端末装置においてプログラムを実行する際に、コンピュータに、上記のチャネル品質情報のフィードバック方法を前記端末装置において実行させるコンピュータ読み取り可能なプログラムを提供する。
【００１８】
本発明の実施例の他の態様によれば、コンピュータに、上記のチャネル品質情報のフィードバック方法を端末装置において実行させるためのコンピュータ読み取り可能なプログラムを記憶する記憶媒体を提供する。
【００１９】
本発明の実施例の有益な効果としては、異なるＣｏＭＰ伝送技術による異なる性能の改善に対して、合理的なＣＱＩフィードバックを設計することで、ＣＱＩフィードバックのオーバーヘッドを低減でき、ＣｏＭＰ伝送に基づくユーザ機器のスループットを向上できる。
【００２０】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２１】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２２】
なお、本文では、用語「包括／含む／有する」は、特徴、部材、ステップ又はコンポーネントが存在することを指し、一つ又は複数の他の特徴、部材、ステップ又はコンポーネントの存在又は付加を排除しない。
【図面の簡単な説明】
【００２３】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】（ａ）は、協調マルチポイント伝送のシナリオにおける同じセルの協調マルチポイントを示す図である。（ｂ）は、協調マルチポイント伝送のシナリオにおける異なるセルの協調マルチポイントを示す図である。
【図２】本発明の実施例に係る差分ＣＱＩとオフセットとのマッピング関係の確立方法のフローチャートである。
【図３】本発明の実施例に係る端末装置の構成を示す図である。
【図４】本発明の実施例に係るチャネル品質情報のフィードバック方法のフローチャートである。
【図５】本発明の実施例に係る他の端末装置の構成を示す図である。
【発明を実施するための形態】
【００２４】
本発明の実施例の前述した特徴及び他の特徴は、図面を参照しながら、下記の明細書を通じて分かる。これらの実施形態は例示的なものに過ぎなく、本発明を限定するものではない。当業者に本発明の原理及び実施形態をより理解するように、本発明の実施形態は、ＬＴＥ−Ａｄｖａｎｃｅｄシステムの協調マルチポイント（ＣｏＭＰ）伝送（ＪＰ伝送とＣＳ／ＣＢ伝送を含む）を例にして説明するが、本発明の実施例は上記のシステム及び上記の送信方法に限定されず、協調マルチポイント伝送に関わる他のシステム及び他の送信方法に適用できる。また、以下の説明では、係る「基地局」は、協調マルチポイント送信の送信ポイントを指し、例えば通常のｅＮＢ（evolved  Node  B：進化型基地局）であってもよいし、ＲＲＨ（Remote  Radio  Head：リモート無線ヘッド）であってもよく、本実施例はこれに限定されない。
【００２５】
＜実施例１＞
図２は、本発明の実施例に係る差分ＣＱＩとオフセットとのマッピング関係の確立方法のフローチャートであり、図２に示すように、該方法は以下のステップを含む。
【００２６】
ステップ２０１：端末装置は、チャネル品質情報（ＣＱＩ）の各ビット値とオフセット基準値とのマッピング関係に基づいて差分ＣＱＩのフィードバックを行うように、協調マルチポイント（ＣｏＭＰ）送信モードにより差分ＣＱＩを示すビット数及び該マッピング関係を決定する。
【００２７】
ここで、該マッピング関係において、該ビット値の小さい順に該ビット値に対応する複数のオフセット基準値は、逓増する複数の整数である。
【００２８】
本実施例の方法により差分ＣＱＩとオフセットとのマッピング関係を確立した後、端末装置は該関係により差分ＣＱＩのフィードバックを行うことができる。例えば、端末装置は、差分ＣＱＩをフィードバックする必要がある場合、算出されたオフセットと本実施例に係る確立された該マッピング関係におけるオフセット基準値と比較して、対応する差分ＣＱＩを決定してフィードバックすることができる。
【００２９】
１つの実施例では、該差分ＣＱＩとオフセットとのマッピング関係は、表の形で記憶されてもよく、差分ＣＱＩを示すビット数は３ビット、２ビット又は他のビット数であってもよい。表３は、３ビットの差分ＣＱＩとオフセットとのマッピング関係を示す表であり、表４は、２ビットの差分ＣＱＩとオフセットとのマッピング関係を示す表である。
【表３】
0005850153.tif 000011
【表４】
0005850153.tif 000012
【００３０】
表３及び表４に示すように、０（０００）〜７（１１１）、又は０（００）〜３（１１）は差分ＣＱＩのビット値を表し、Ｍ１〜Ｍ８又はＭ１〜Ｍ４は、差分ＣＱＩの各ビット値に対応するオフセット基準値であり、Ｍ１＜Ｍ２＜…＜Ｍ８。
【００３１】
本実施例では、好ましくは、差分ＣＱＩを示すビット値の最小値（例えば「０」）は、複数のオフセット基準値の最小値（例えば「Ｍ１」）以下の値に対応し、差分ＣＱＩを示すビット値の最大値（例えば「７」又は「３」）は、複数のオフセット基準値の最大値（例えば「Ｍ８」又は「Ｍ４」）以上の値に対応する。なお、本実施例はこれに限定されず、Ｍ１〜Ｍ８又はＭ１〜Ｍ４の値によって、差分ＣＱＩを示すビット値の最小値及び最大値は、対応のオフセット基準値に対応してもよいが、差分ＣＱＩのある中間値のビット数は、対応のオフセット基準値以下又は以上の値に対応してもよい。表３を例にすると、０（０００）はＭ１に対応し、７（１１１）はＭ８に対応するが、３（０１１）はＭ４以下の値に対応する、或いはＭ４以上の値に対応する、即ち、０→≦Ｍ１、７→≦Ｍ８、３→≦Ｍ４或いは≧Ｍ４。
【００３２】
本実施例では、好ましくは、基地局が異なるＣｏＭＰ送信モードを用いる場合、端末装置は、ビット数の異なる、差分ＣＱＩとオフセットとのマッピング関係を用いてもよい。例えば、基地局がＪＰのＣｏＭＰ送信モードを用いる場合、端末装置は、３ビットの差分ＣＱＩとオフセットとのマッピング関係を用い、基地局がＣＳ／ＣＢのＣｏＭＰ送信モードを用いる場合、端末装置は、２ビットの差分ＣＱＩとオフセットとのマッピング関係を用いる。
【００３３】
本実施例では、好ましくは、基地局が異なるＣｏＭＰ送信モードを用いる場合、端末装置が同じビット数の差分ＣＱＩとオフセットとのマッピング関係を用いるとき、端末装置は、値の異なるオフセット基準値を用いてもよい。例えば、基地局がＪＰのＣｏＭＰ送信モードを用いる場合と基地局がＣＳ／ＣＢのＣｏＭＰ送信モードを用いる場合は、端末装置が共に３ビットの差分ＣＱＩとオフセットとのマッピング関係を用いるとき、端末装置は、基地局がＪＰのＣｏＭＰ送信モードを用いる場合、３ビットの差分ＣＱＩとオフセットとのマッピング関係における複数のオフセット基準値として、Ｍ１〜Ｍ８を用い、基地局がＣＳ／ＣＢのＣｏＭＰ送信モードを用いる場合、３ビットの差分ＣＱＩとオフセットとのマッピング関係における複数のオフセット基準値として、Ｍ１’〜Ｍ８’を用いる。好ましくは、Ｍ８≧Ｍ８’。
【００３４】
本実施例では、好ましくは、基地局がＪＰのＣｏＭＰ送信モードを用いる場合、端末装置により用いられる差分ＣＱＩとオフセットとのマッピング関係におけるオフセット基準値の最小値は、０、１又は２であり、基地局がＣＳ／ＣＢのＣｏＭＰ送信モードを用いる場合、端末装置により用いられる差分ＣＱＩとオフセットとのマッピング関係におけるオフセット基準値の最小値は、−１又は０である。
【００３５】
表５は、基地局がＪＰのＣｏＭＰ送信モードを用いる場合、端末装置は本実施例の方法により確立された３ビットの差分ＣＱＩとオフセットとのマッピング関係の１つの例である。表６及び表７は、基地局がＣＢ／ＣＳのＣｏＭＰ送信モードを用いる場合、端末装置は本実施例の方法により確立された３ビットの差分ＣＱＩとオフセットとのマッピング関係の２つの例である。表６及び表７は、基地局がＣＢ／ＣＳのＣｏＭＰ送信モードを用いる場合、端末装置は本実施例の方法により確立された２ビットの差分ＣＱＩとオフセットとのマッピング関係の２つの例である。
【表５】
0005850153.tif 000013
【表６】
0005850153.tif 000014
【表７】
0005850153.tif 000015
【表８】
0005850153.tif 000016
【表９】
0005850153.tif 000017
【００３６】
本実施例の方法によれば、端末装置はＣｏＭＰ送信モードに応じて、異なる差分ＣＱＩとオフセットとのマッピング関係を確立でき、差分ＣＱＩをフィードバックする必要がある際に、該マッピング関係により差分ＣＱＩのフィードバックを行うため、ＣＱＩフィードバックのオーバーヘッドを低減でき、ＣｏＭＰ伝送に基づくユーザ機器のスループットを向上できる。
【００３７】
以下の実施例に述べるように、本発明の実施例は端末装置をさらに提供する。該端末装置の問題解決の原理と上記実施例１の端末装置の差分ＣＱＩとオフセットとのマッピング関係の確立方法と類似するため、該端末装置の実施例は該方法の実施を参照でき、重複する部分の説明は省略とされる。
【００３８】
＜実施例２＞
図３は、本発明の実施例に係る端末装置の構成を示す図であり、図３に示すように、該端末装置は確立部３１を含む。
【００３９】
確立部３１は、差分ＣＱＩの各ビット値とオフセット基準値とのマッピング関係に基づいて差分ＣＱＩのフィードバックを行うように、ＣｏＭＰ送信モードにより差分ＣＱＩを示すビット数及び該マッピング関係を決定する。ここで、該ビット値の小さい順に該ビット値に対応する複数のオフセット基準値は、逓増する複数の整数である。
【００４０】
１つの実施例では、確立部３１により確立された差分ＣＱＩとオフセットとのマッピング関係において、該ビット値の最小値は、複数のオフセット基準値の最小値以下の値に対応し、該ビット値の最大値は、複数のオフセット基準値の最大値以上の値に対応する。なお、本実施例はこれに限定されず、該ビット値のうちの中間値は、対応のオフセット基準値以上又は以下の値に対応してもよい。
【００４１】
もう１つの実施例では、基地局の用いるＣｏＭＰ送信モードが異なる場合、該確立部３１により確立された差分ＣＱＩとオフセットとのマッピング関係において、ビット数は異なる。或いは、確立部３１により確立された差分ＣＱＩとオフセットとのマッピング関係において、複数のオフセット基準値は異なる。
【００４２】
もう１つの実施例では、基地局の用いるＣｏＭＰ送信モードがＪＰ送信モードである場合、確立部３１により確立された差分ＣＱＩとオフセットとのマッピング関係において、オフセット基準値の最小値は、０、１又は２であり、基地局の用いるＣｏＭＰ送信モードがマルチポイントＣＳ／ＣＢ送信モードである場合、確立部３１により確立された差分ＣＱＩとオフセットとのマッピング関係において、オフセット基準値の最小値は、−１又は０である。
【００４３】
もう１つの実施例では、基地局の用いるＣｏＭＰ送信モードがＪＰ送信モードの場合の、確立部３１により確立された差分ＣＱＩとオフセットのマッピング関係における、オフセット基準値の最大値は、基地局の用いるＣｏＭＰ送信モードがＣＳ／ＣＢ送信モードの場合の、確立部３１により確立された差分ＣＱＩとオフセットとのマッピング関係における、オフセット基準値の最大値よりも大きい。
【００４４】
本実施例の端末装置によれば、端末装置はＣｏＭＰ送信モードに応じて、異なる差分ＣＱＩとオフセットとのマッピング関係を確立でき、差分ＣＱＩをフィードバックする必要がある際に、該マッピング関係により差分ＣＱＩのフィードバックを行うため、ＣＱＩフィードバックのオーバーヘッドを低減でき、ＣｏＭＰ伝送に基づくユーザ機器のスループットを向上できる。
【００４５】
＜実施例３＞
図４は、本発明の実施例に係るチャネル品質情報のフィードバック方法のフローチャートであり、該方法はＣｏＭＰフィードバックモードを設定された端末装置に用いられ、図４に示すように、該方法は以下のステップを含む。
【００４６】
第１の計算ステップ４０１：ダウンリンク基準信号に基づいて、非ＣｏＭＰ伝送に基づくＣＱＩ及びＣｏＭＰ伝送に基づくＣＱＩを計算する。
【００４７】
ここで、ダウンリンク基準信号は、ＣＲＳ（Cell-specific  Reference  Signal：セル固有の基準信号）及び／又はＣＳＩ−ＲＳ（Channel  State  Information-Reference  Signal：チャネル状態情報基準信号）であってもよいし、他のダウンリンク基準信号であってもよく、本実施例はこれに限定されない。
【００４８】
なお、非ＣｏＭＰ伝送に基づく各伝送ブロックのＣＱＩ情報とＣｏＭＰ伝送に基づく各伝送ブロックのＣＱＩ情報は、それぞれの受信信号の式に対応する量子化の信号雑音比であり、具体的には従来の手法で計算して得られるものであり、その説明はここに省略とされる。
【００４９】
第２の計算ステップ４０２：非ＣｏＭＰ伝送に基づくＣＱＩ及びＣｏＭＰ伝送に基づくＣＱＩに基づいて、ＣｏＭＰ伝送に基づくＣＱＩオフセットを計算する。
【００５０】
決定ステップ４０３：該ＣｏＭＰ伝送に基づくＣＱＩオフセット、及び予め確立された差分ＣＱＩとオフセットとのマッピング関係に基づいて、ＣｏＭＰ伝送に基づく差分ＣＱＩを決定する。ここで、該予め確立された差分ＣＱＩとオフセットとのマッピング関係において、差分ＣＱＩの小さい順に差分ＣＱＩに対応する複数のオフセット基準値は、逓増する複数の整数である。
【００５１】
ここで、算出されたＣｏＭＰ伝送に基づくＣＱＩオフセットと、予め確立された差分ＣＱＩとオフセットとのマッピング関係とを比較して、ＣｏＭＰ伝送に基づく差分ＣＱＩを決定する。
【００５２】
フィードバックステップ４０４：該非ＣｏＭＰ伝送に基づくＣＱＩ及び該ＣｏＭＰ伝送に基づく差分ＣＱＩを基地局にフィードバックする。
【００５３】
本実施例では、異なるＣｏＭＰ送信モードについて、異なる差分ＣＱＩとオフセットとのマッピング関係を予め確立し、該マッピング関係は、差分ＣＱＩとオフセット基準値とのマッピング関係を表す。ＣＱＩオフセットが計算することで決定された場合、該ＣＱＩオフセットと、該予め確立されたマッピング関係におけるオフセット基準値とを比較して、対応する差分ＣＱＩを決定してもよい。
【００５４】
ここで、マッピング関係の確立について、実施例１を参照し、実施例１の内容をここに援用し、その説明を省略とされる。
【００５５】
１つの実施例では、ＣｏＭＰ伝送に基づくＣＱＩオフセットが複数のオフセット基準値の最小値以下である場合、ＣｏＭＰ伝送に基づく差分ＣＱＩが予め確立された差分ＣＱＩとオフセットとのマッピング関係における差分ＣＱＩの最小値であると決定する。ＣｏＭＰ伝送に基づくＣＱＩオフセットが複数のオフセット基準値の最大値以上である場合、ＣｏＭＰ伝送に基づく差分ＣＱＩが予め確立された差分ＣＱＩとオフセットとのマッピング関係における差分ＣＱＩの最大値であると決定する。
【００５６】
本実施例では、予め確立された差分ＣＱＩとオフセットとのマッピング関係において、差分ＣＱＩを示すビット数は、３ビット又は２ビットであってもよい。差分ＣＱＩとオフセットとのマッピング関係は表の形で表れてもよい。上述したように、表３は、３ビットの差分ＣＱＩとオフセットとのマッピング表であり、表４は、２ビットの差分ＣＱＩとオフセットとのマッピング表である。
【００５７】
表３には、Ｍ１、Ｍ２、…、Ｍ８は、オフセット基準値であり、該オフセット基準値Ｍ１、Ｍ２、…、Ｍ８は、整数であり、且つＭ１＜Ｍ２＜…＜Ｍ８。表４には、Ｍ１、Ｍ２、…、Ｍ４は、オフセット基準値であり、該オフセット基準値Ｍ１、Ｍ２、…、Ｍ４は、整数であり、且つＭ１＜Ｍ２＜…＜Ｍ４。
【００５８】
好ましくは、基地局がマルチポイント結合処理（ＪＰ）のＣｏＭＰ送信モードを用いる場合、複数のオフセット基準値の最小値、即ちＭ１は、０、１又は２であってもよい。表５は、基地局がマルチポイント結合処理（ＪＰ）のＣｏＭＰ送信モードを用いる場合、本発明の実施例に係る予め確立された３ビットの差分ＣＱＩとオフセットとのマッピング表（即ちマッピング関係）の好適な例である。
【００５９】
好ましくは、基地局がマルチポイント協調スケジューリング／ビームフォーミング（ＣＳ／ＣＢ）のＣｏＭＰ送信モードを用いる場合、複数のオフセット基準値の最小値、即ちＭ１は、−１又は０であってもよい。表６及び表７は、基地局がマルチポイント協調スケジューリング／ビームフォーミング（ＣＳ／ＣＢ）のＣｏＭＰ送信モードを用いる場合、本発明の実施例に係る予め確立された３ビットの差分ＣＱＩとオフセットとのマッピング表の好適な例である。表８及び表９は、基地局がマルチポイント協調スケジューリング／ビームフォーミング（ＣＳ／ＣＢ）のＣｏＭＰ送信モードを用いる場合、本発明の実施例に係る予め確立された２ビットの差分ＣＱＩとオフセットとのマッピング表の好適な例である。
【００６０】
本実施例では、異なるＣｏＭＰ送信モードに応じて、異なる差分ＣＱＩとオフセットとのマッピング関係を予め確立してもよい。例えば、ビット数が同じであり、且つオフセット基準値が異なるマッピング関係を予め確立してもよいし、ビット数の異なるマッピング関係を予め確立してもよい。
【００６１】
予め確立されたビット数が同じ、且つオフセット基準値が異なるマッピング関係について、マッピング関係における複数のオフセット基準値の最大値が異なる。好ましくは、基地局がマルチポイントＪＰのＣｏＭＰ送信モードを用いる場合の複数のオフセット基準値の最大値は、基地局がマルチポイントＣＳ／ＣＢのＣｏＭＰ送信モードの場合の複数のオフセット基準値の最大値よりも大きい。例えば、基地局がマルチポイントＪＰのＣｏＭＰ送信モードとマルチポイントＣＳ／ＣＢのＣｏＭＰ送信モードを用いる場合、共に３ビットの差分ＣＱＩとオフセットとのマッピング関係を選択するとき、Ｍ８（ＪＰ）≧Ｍ８（ＣＳ／ＣＢ）。
【００６２】
予め確立されたビット数の異なるマッピング関係について、例えば、基地局がマルチポイントＪＰのＣｏＭＰ送信モードを用いる場合、３ビットの差分ＣＱＩとオフセットとのマッピング関係を予め確立してもよく、基地局がマルチポイントＣＳ／ＣＢのＣｏＭＰ送信モードを用いる場合、２ビットの差分ＣＱＩとオフセットとのマッピング関係を予め確立してもよい。
【００６３】
本実施例では、同じＣｏＭＰ送信モード、異なるｒａｎｋ（ランク）について、異なるマッピング関係を予め確立してもよい。例えば、基地局がマルチポイントＣＳ／ＣＢのＣｏＭＰ送信モードを用いる場合、ｒａｎｋ＝１のとき、実施例１に係る方法により、表８に示す差分ＣＱＩとオフセットとのマッピング関係を予め確立してもよく、ｒａｎｋ＝２のとき、実施例１に係る方法により、表９に示す差分ＣＱＩとオフセットとのマッピング関係を予め確立してもよい。
【００６４】
本実施例では、端末装置によりフィードバックされた異なるランクの値によって、ＣＱＩをフィードバックする伝送ブロックの数は異なる。
【００６５】
端末装置からフィードバックされたランクが１である場合、ステップ４０４において、１つの伝送ブロックのＣｏＭＰ伝送に基づくＣＱＩと非ＣｏＭＰ伝送に基づくＣＱＩのみをフィードバックする必要があるとき、ステップ４０１において、１つの伝送ブロックのＣｏＭＰ伝送に基づくＣＱＩと非ＣｏＭＰ伝送に基づくＣＱＩのみを計算し、ステップ４０２において計算されるＣｏＭＰ伝送に基づくＣＱＩオフセットは、ＣｏＭＰ伝送に基づくＣＱＩインデックスと非ＣｏＭＰ伝送に基づくＣＱＩインデックスとの差である。
【００６６】
端末装置からフィードバックされたランクが２以上である場合、ステップ４０４において、２つの伝送ブロックのＣｏＭＰ伝送に基づく差分ＣＱＩと非ＣｏＭＰ伝送に基づくＣＱＩをフィードバックする必要があるとき、ステップ４０１において、２つの伝送ブロックのＣｏＭＰ伝送に基づくＣＱＩ及び非ＣｏＭＰ伝送に基づくＣＱＩを計算し、ステップ４０２において、２つの伝送ブロックのＣｏＭＰ伝送に基づくＣＱＩオフセットを計算し、ステップ４０４において、２つの伝送ブロックの非ＣｏＭＰ伝送に基づくＣＱＩ及びＣｏＭＰ伝送に基づく差分ＣＱＩをフィードバックする。１つの実施例では、各伝送ブロックのＣｏＭＰ伝送に基づくＣＱＩオフセットは、該伝送ブロックのＣｏＭＰ伝送に基づくＣＱＩインデックスと該伝送ブロックの非ＣｏＭＰ伝送に基づくＣＱＩインデックスとの差である。もう１つの実施例では、１番目の伝送ブロックのＣｏＭＰ伝送に基づくＣＱＩオフセットは、１番目の伝送ブロックのＣｏＭＰ伝送に基づくＣＱＩインデックスと１番目の伝送ブロックの非ＣｏＭＰ伝送に基づくＣＱＩインデックスとの差であり、２番目の伝送ブロックのＣｏＭＰ伝送に基づくＣＱＩオフセットは、１番目の伝送ブロックのＣｏＭＰ伝送に基づくＣＱＩインデックスと２番目の伝送ブロックのＣｏＭＰ伝送に基づくＣＱＩインデックスとの差である。
【００６７】
本実施例の端末装置に係る、協調マルチポイント（ＣｏＭＰ）送信モードにおいてユーザ機器がチャネル品質情報をフィードバックする方法によれば、端末装置はダウンリンク基準信号に基づいて単一ポイント（非ＣｏＭＰ）伝送のチャネル品質情報及び協調マルチポイント（ＣｏＭＰ）伝送のチャネル品質情報を推定し、予め確立されたマッピング関係に基づいて、基地局へ量子化されたチャネル品質情報をフィードバックする。基地局は、端末装置によりフィードバックされたチャネル品質情報に基づいて、ユーザ機器にサービスを提供するため、単一ポイント送信又は協調マルチポイント送信を動的にスケジューリングできる。該方法は、異なるＣｏＭＰ伝送技術による異なる性能の改善に対して、合理的なＣＱＩフィードバックを設計することで、ＣＱＩフィードバックのオーバーヘッドを低減でき、ＣｏＭＰ伝送に基づくユーザ機器のスループットを向上できる。
【００６８】
以下の実施例４に述べるように、本発明の実施例は端末装置をさらに提供する。該端末装置の問題解決の原理と上記実施例３の端末装置のチャネル品質情報のフィードバック方法と類似するため、該端末装置の実施例は該方法の実施を参照でき、重複する部分の説明は省略とされる。
【００６９】
＜実施例４＞
図５は、本発明の実施例に係る他の端末装置の構成を示す図であり、該端末装置は、ＣｏＭＰのフィードバックモードを設定された端末装置である。図５に示すように、該端末装置は、第１の計算部５１、第２の計算部５２、決定部５３、及びフィードバック部５４を含む。
【００７０】
第１の計算部５１は、ダウンリンク基準信号に基づいて、非ＣｏＭＰ伝送に基づくＣＱＩ及びＣｏＭＰ伝送に基づくＣＱＩを計算する。
【００７１】
第２の計算部５２は、第１の計算部５１により計算された非ＣｏＭＰ伝送に基づくＣＱＩ及びＣｏＭＰ伝送に基づくＣＱＩに基づいて、ＣｏＭＰ伝送に基づくＣＱＩオフセットを計算する。
【００７２】
決定部５３は、第２の計算部５２により計算されたＣｏＭＰ伝送に基づくＣＱＩオフセット、及び予め確立された差分ＣＱＩとオフセットとのマッピング関係に基づいて、ＣｏＭＰ伝送に基づく差分ＣＱＩを決定する。ここで、該予め確立された差分ＣＱＩとオフセットとのマッピング関係において、差分ＣＱＩの小さい順に差分ＣＱＩに対応する複数のオフセット基準値は、逓増する複数の整数である。
【００７３】
フィードバック部５４は、第１の計算部５３により計算された非ＣｏＭＰ伝送に基づくＣＱＩ及び決定部５３により決定されたＣｏＭＰ伝送に基づく差分ＣＱＩを基地局にフィードバックする。
【００７４】
１つの実施例では、決定部５３は、比較モジュール５３１、及び決定モジュール５３２を含む。
【００７５】
比較モジュール５３１は、ＣｏＭＰ伝送に基づくＣＱＩオフセットに対応する差分ＣＱＩを決定するように、第２の計算部５２により計算されたＣｏＭＰ伝送に基づくＣＱＩオフセットと、予め確立された差分ＣＱＩとオフセットとのマッピング関係におけるオフセット基準値とを比較する。
【００７６】
１つの実施例では、決定モジュール５３２による比較モジュール５３１における比較結果として、ＣｏＭＰ伝送に基づくＣＱＩオフセットが複数のオフセット基準値の最小値以下である場合、ＣｏＭＰ伝送に基づく差分ＣＱＩが予め確立された差分ＣＱＩとオフセットとのマッピング関係における差分ＣＱＩの最小値であると決定し、ＣｏＭＰ伝送に基づくＣＱＩオフセットが複数のオフセット基準値の最大値以上である場合、ＣｏＭＰ伝送に基づく差分ＣＱＩが予め確立された差分ＣＱＩとオフセットとのマッピング関係における差分ＣＱＩの最大値であると決定する。上記の説明は例示的なものに過ぎなく、本発明の実施例はこれに限定されない。マッピング関係における差分ＣＱＩのビット値の中間値が対応するオフセット基準値以上又は以下である場合、対応の数値と比較する必要がある。
【００７７】
１つの実施例では、差分ＣＱＩとオフセットとのマッピング関係における差分ＣＱＩを示すビット数は、３ビットである。もう１つの実施例では、差分ＣＱＩとオフセットとのマッピング関係における差分ＣＱＩを示すビット数は、２ビットである。
【００７８】
１つの実施例では、異なるＣｏＭＰ送信モードに応じて、端末装置により予め確立された差分ＣＱＩとオフセットとのマッピング関係における複数のオフセット基準値は異なる、或いは、端末装置により予め確立された差分ＣＱＩとオフセットとのマッピング関係における差分ＣＱＩを示すビット数は異なる。
【００７９】
１つの実施例では、基地局がマルチポイントＪＰのＣｏＭＰ送信モードを用いる場合、端末装置の予め確立された差分ＣＱＩとオフセットとのマッピング関係において、複数のオフセット基準値の最小値は、０、１又は２である。もう１つの実施例では、基地局がマルチポイントＣＳ／ＣＢのＣｏＭＰ送信モードを用いる場合、端末装置の予め確立された差分ＣＱＩとオフセットとのマッピング関係において、複数のオフセット基準値の最小値は、−１又は０である。
【００８０】
１つの実施例では、基地局がマルチポイントＪＰのＣｏＭＰ送信モードを用いる場合の、端末装置の予め確立された差分ＣＱＩとオフセットとのマッピング関係における、複数のオフセット基準値の最大値は、基地局がマルチポイントＣＳ／ＣＢのＣｏＭＰ送信モードの場合の、端末装置の予め確立された差分ＣＱＩとオフセットとのマッピング関係における、複数のオフセット基準値の最大値よりも大きい。
【００８１】
１つの実施例では、端末装置からフィードバックされたランクが１である場合、第２の計算部５２により計算されたＣｏＭＰ伝送に基づくＣＱＩオフセットは、ＣｏＭＰ伝送に基づくＣＱＩインデックスと非ＣｏＭＰ伝送に基づくＣＱＩインデックスとの差である。
【００８２】
１つの実施例では、端末装置からフィードバックされたランクが２以上である場合、第１の計算部５１は、２つの伝送ブロックの非ＣｏＭＰ伝送に基づくＣＱＩ及びＣｏＭＰ伝送に基づくＣＱＩを計算し、第２の計算部５２は、２つの伝送ブロックのＣｏＭＰ伝送に基づくＣＱＩオフセットを計算し、各伝送ブロックのＣｏＭＰ伝送に基づくＣＱＩオフセットは、該伝送ブロックのＣｏＭＰ伝送に基づくＣＱＩインデックスと該伝送ブロックの非ＣｏＭＰ伝送に基づくＣＱＩインデックスとの差であり、フィードバック部５４は、２つの伝送ブロックの非ＣｏＭＰ伝送に基づくＣＱＩ及びＣｏＭＰ伝送に基づく差分ＣＱＩをフィードバックする。
【００８３】
もう１つの実施例では、端末装置からフィードバックされたランクが２以上である場合、第１の計算部５１は、２つの伝送ブロックの非ＣｏＭＰ伝送に基づくＣＱＩ及びＣｏＭＰ伝送に基づくＣＱＩを計算し、第２の計算部５２は、２つの伝送ブロックのＣｏＭＰ伝送に基づくＣＱＩオフセットを計算し、１番目の伝送ブロックのＣｏＭＰ伝送に基づくＣＱＩオフセットは、１番目の伝送ブロックのＣｏＭＰ伝送に基づくＣＱＩインデックスと１番目の伝送ブロックの非ＣｏＭＰ伝送に基づくＣＱＩインデックスとの差であり、２番目の伝送ブロックのＣｏＭＰ伝送に基づくＣＱＩオフセットは、１番目の伝送ブロックのＣｏＭＰ伝送に基づくＣＱＩインデックスと２番目の伝送ブロックのＣｏＭＰ伝送に基づくＣＱＩインデックスとの差であり、フィードバック部５４は、ＣｏＭＰ伝送に基づく２つの伝送ブロックの差分ＣＱＩ及び非ＣｏＭＰ伝送に基づく２つの伝送ブロックのＣＱＩをフィードバックする。
【００８４】
本発明の実施例に係る端末装置は、異なるＣｏＭＰ伝送技術による異なる性能の改善に対して、合理的なＣＱＩフィードバックを設計することで、ＣＱＩフィードバックのオーバーヘッドを低減でき、ＣｏＭＰ伝送に基づくユーザ機器のスループットを向上できる。
【００８５】
本発明の実施例は、コンピュータ読み取り可能なプログラムをさらに提供し、該コンピュータ読み取り可能なプログラムは、端末装置においてプログラムを実行する際に、コンピュータに、実施例１に記載の差分ＣＱＩとオフセットとのマッピング関係の確立方法を該端末装置において実行させる。
【００８６】
本発明の実施例は、コンピュータ読み取り可能なプログラムを記憶する記憶媒体をさらに提供し、該コンピュータ読み取り可能なプログラムは、コンピュータに、実施例１に記載の差分ＣＱＩとオフセットとのマッピング関係の確立方法を端末装置において実行させる。
【００８７】
本発明の実施例は、コンピュータ読み取り可能なプログラムをさらに提供し、該コンピュータ読み取り可能なプログラムは、端末装置においてプログラムを実行する際に、コンピュータに、実施例３に記載のチャネル品質情報のフィードバック方法を該端末装置において実行させる。
【００８８】
本発明の実施例は、コンピュータ読み取り可能なプログラムを記憶する記憶媒体をさらに提供し、該コンピュータ読み取り可能なプログラムは、コンピュータに、実施例３に記載のチャネル品質情報のフィードバック方法を端末装置において実行させる。
【００８９】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【００９０】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
0005850153.tif 000018
【図２】
0005850153.tif 000019
【図３】
0005850153.tif 000020
【図４】
0005850153.tif 000021
【図５】
0005850153.tif 000022